Podtech/llm-jp-corpus-v4-ja_patent huggingface dataset:
【手続補正書】
【提出日】令和3年2月25日(2021.2.25)
【手続補正１】
【補正対象書類名】特許請求の範囲
【補正対象項目名】全文
【補正方法】変更
【補正の内容】
【特許請求の範囲】
【請求項１】
【化１】
2020514331.tif 000001
2020514331.tif 000002
2020514331.tif 000003
2020514331.tif 000004
2020514331.tif 000005
2020514331.tif 000006
2020514331.tif 000007
2020514331.tif 000008
2020514331.tif 000009
2020514331.tif 000010
2020514331.tif 000011
2020514331.tif 000012
2020514331.tif 000013
2020514331.tif 000014
2020514331.tif 000015
2020514331.tif 000016
2020514331.tif 000017
2020514331.tif 000018
2020514331.tif 000019
2020514331.tif 000020
2020514331.tif 000021
2020514331.tif 000022
2020514331.tif 000023
2020514331.tif 000024
2020514331.tif 000025
2020514331.tif 000026
2020514331.tif 000027
2020514331.tif 000028
2020514331.tif 000029
2020514331.tif 000030
2020514331.tif 000031
から選択される化合物、又はその薬学的に許容可能な塩。
【請求項２】
【化２】
2020514331.tif 000032
2020514331.tif 000033
である、請求項１に記載の化合物、又はその薬学的に許容可能な塩。
【請求項３】
【化３】
2020514331.tif 000034
である、請求項２に記載の化合物、又はその薬学的に許容可能な塩。
【請求項４】
【化４】
2020514331.tif 000035
である、請求項２に記載の化合物、又はその薬学的に許容可能な塩。
【請求項５】
【化５】
2020514331.tif 000036
である、請求項２に記載の化合物、又はその薬学的に許容可能な塩。
【請求項６】
【化６】
2020514331.tif 000037
である、請求項２に記載の化合物、又はその薬学的に許容可能な塩。
【請求項７】
【化７】
2020514331.tif 000038
である、請求項２に記載の化合物、又はその薬学的に許容可能な塩。
【請求項８】
【化８】
2020514331.tif 000039
である、請求項２に記載の化合物、又はその薬学的に許容可能な塩。
【請求項９】
【化９】
2020514331.tif 000040
である、請求項２に記載の化合物、又はその薬学的に許容可能な塩。
【請求項１０】
【化１０】
2020514331.tif 000041
2020514331.tif 000042
2020514331.tif 000043
2020514331.tif 000044
2020514331.tif 000045
2020514331.tif 000046
2020514331.tif 000047
2020514331.tif 000048
2020514331.tif 000049
2020514331.tif 000050
2020514331.tif 000051
2020514331.tif 000052
2020514331.tif 000053
2020514331.tif 000054
2020514331.tif 000055
2020514331.tif 000056
2020514331.tif 000057
から選択される化合物、又はその薬学的に許容可能な塩。
【請求項１１】
請求項１〜１０のいずれか一項に記載の化合物又はその薬学的に許容可能な塩と、薬学的に許容可能な担体とを含む医薬組成物。
【請求項１２】
補体Ｄ因子媒介障害を治療するための、請求項１１に記載の医薬組成物。
【請求項１３】
該障害が、急性呼吸窮迫症候群（ＡＲＤＳ）、加齢黄斑変性、関節炎、喘息、アルツハイマー型認知症、筋萎縮性側索硬化症、抗体媒介性移植片拒絶反応、抗好中球細胞質抗体関連血管炎、抗リン脂質症候群、非典型または典型的な溶血性尿毒症症候群、心血管疾患、寒冷凝集素症、補体３糸球体症、慢性閉塞性肺疾患、肝硬変、クローン病、Ｃ３糸球体腎炎、糖尿病性網膜症、デンスデポジット病、皮膚筋炎、皮膚炎、表皮水疱症、脂肪肝、巣状分節性糸球体硬化症、地図状萎縮、糸球体腎炎、移植片対宿主病、ギランバレー症候群、溶血性貧血、化膿性汗腺炎、ＩｇＡ腎症、虚血／再灌流傷害、肝不全、肝炎、ループス腎炎、膜性増殖性糸球体腎炎、多巣性運動ニューロパチー、多発性硬化症、重症筋無力症、視神経脊髄炎、非アルコール性脂肪性肝炎（NASH）、眼疾患、膵炎、発作性夜間血色素尿症、類天疱瘡、尋常性天疱瘡、子癇前症、、糸球体濾過量の低下、腎血管障害、呼吸器疾患、網膜剥離、関節リウマチ、敗血症、志賀毒素大腸菌関連溶血性尿毒症症候群、脊髄損傷、鎌状赤血球病、外傷性脳損傷、および潰瘍性大腸炎から選択される、請求項１２に記載の医薬組成物。
【請求項１４】
該障害が、ＩｇＡ腎症、地図状萎縮、ループス腎炎、重症筋無力症、糸球体濾過量の低下、腎血管障害、鎌状赤血球病、またはＣ３糸球体腎炎である、請求項１２又は１３に記載の医薬組成物。
【手続補正書】
【提出日】令和3年3月19日(2021.3.19)
【手続補正１】
【補正対象書類名】特許請求の範囲
【補正対象項目名】全文
【補正方法】変更
【補正の内容】
【特許請求の範囲】
【請求項１】
低密度リポタンパク質受容体関連タンパク質１（ＬＲＰ１）の結合ドメインＩに結合する剤を含む、がんを処置するための医薬組成物。
【請求項２】
ＬＲＰ１の結合ドメインＩが、ＬＲＰ１のアミノ酸１〜１７２を含む、請求項１に記載の医薬組成物。
【請求項３】
剤がタンパク質またはペプチドである、請求項１または２に記載の医薬組成物。
【請求項４】
剤が抗体である、請求項３に記載の医薬組成物。
【請求項５】
抗体がポリクローナル抗体である、請求項４に記載の医薬組成物。
【請求項６】
抗体がモノクローナル抗体である、請求項４に記載の医薬組成物。
【請求項７】
抗体が、ＬＲＰ１の結合ドメインＩにおけるアミノ酸１５１〜１７２（配列番号３）に結合する、請求項５または６に記載の医薬組成物。
【請求項８】
抗体が、ＬＲＰ１の結合ドメインＩにおけるアミノ酸１４０〜１６４（配列番号１８）に結合する、請求項５〜７のいずれか一項に記載の医薬組成物。
【請求項９】
抗体が、ＬＲＰ１の結合ドメインＩにおけるアミノ酸１５１〜１６４（配列番号１９）に結合する、請求項５〜７のいずれか一項に記載の医薬組成物。
【請求項１０】
剤が小分子である、請求項１に記載の医薬組成物。
【請求項１１】
小分子が、脂質、単糖、二次情報伝達物質、代謝産物、および生体異物からなる群から選択される、請求項１０に記載の医薬組成物。
【請求項１２】
剤のＬＲＰ１の結合ドメインＩへの結合が、Ｒｈｏ−ＧＴＰａｓｅ経路を活性化する、請求項１〜１１のいずれか一項に記載の医薬組成物。
【請求項１３】
Ｒｈｏ−ＧＴＰａｓｅ経路が、ＬＲＰ−１媒介Ｒｈｏ−ＧＴＰａｓｅ経路である、請求項１２に記載の医薬組成物。
【請求項１４】
剤のＬＲＰ１の結合ドメインＩへの結合が、トロンボスポンジン１（Ｔｓｐ−１）を刺激する、請求項１〜１３のいずれか一項に記載の医薬組成物。
【請求項１５】
剤が、経口、非経口、筋肉内、鼻腔内、気管内、脳室内、静脈内、または腹腔内投与される、請求項１〜１４のいずれか一項に記載の医薬組成物。
【請求項１６】
がんが転移性である、請求項１〜１５のいずれか一項に記載の医薬組成物。
【請求項１７】
がんが、胆道がん；膀胱がん；脳がん；神経膠芽腫；髄芽腫；乳がん；子宮頚がん；絨毛癌；大腸がん；子宮内膜がん；食道がん；胃がん；血液腫瘍；急性リンパ性および骨髄性白血病；多発性骨髄腫；エイズ関連白血病および成人Ｔ細胞白血病、リンパ腫；上皮内腫瘍；ボーエン病；パジェット病；肝臓がん；肺がん；リンパ腫；ホジキン病；リンパ球性リンパ腫；神経芽細胞腫；口腔がん；扁平上皮癌；卵巣がん；膵臓がん；前立腺がん；直腸がん；肉腫；平滑筋肉腫；横紋筋肉腫；脂肪肉腫；線維肉腫；骨肉腫；皮膚がん；睾丸がん；間質腫瘍および生殖細胞腫瘍；甲状腺がん；または腎臓がんである、請求項１〜１６のいずれか一項に記載の医薬組成物。
【請求項１８】
がんが、前立腺がん、乳がん、卵巣がん、または膵臓がんである、請求項１７に記載の医薬組成物。
【請求項１９】
低密度リポタンパク質受容体関連タンパク質１（ＬＲＰ１）の結合ドメインＩに結合する、抗体。
【請求項２０】
ＬＲＰ１の結合ドメインＩが、ＬＲＰ１のアミノ酸１〜１７２を含む、請求項１９に記載の抗体。
【請求項２１】
ＬＲＰ１の結合ドメインＩにおけるアミノ酸１５１〜１７２（配列番号３）に結合する、請求項１９または２０に記載の抗体。
【請求項２２】
抗体が、ＬＲＰ１の結合ドメインＩにおけるアミノ酸１４０〜１６４（配列番号１８）に結合する、請求項１９〜２１のいずれか一項に記載の抗体。
【請求項２３】
抗体が、ＬＲＰ１の結合ドメインＩにおけるアミノ酸１５１〜１６４（配列番号１９）に結合する、請求項１９〜２１のいずれか一項に記載の抗体。
【請求項２４】
ポリクローナル抗体である、請求項１９〜２３のいずれか一項に記載の抗体。
【請求項２５】
モノクローナル抗体である、請求項１９〜２３のいずれか一項に記載の抗体。
【請求項２６】
Ｔｓｐ−１を刺激する、請求項１９〜２５のいずれか一項に記載の抗体。
【請求項２７】
トロンボスポンジン１（Ｔｓｐ−１）を刺激する剤を含む、がんを処置するための医薬組成物。
【請求項２８】
剤が、Ｔｓｐ−１を抑制するプロテアーゼ、セリン２（ＰＲＳＳ２）の能力を阻害する、請求項２７に記載の医薬組成物。
【請求項２９】
剤が、ＬＲＰ１の結合ドメインＩに結合する、請求項２７に記載の医薬組成物。
【請求項３０】
剤が、ＰＲＳＳ２の低密度リポタンパク質受容体関連タンパク質１（ＬＲＰ１）への結合を阻害する、請求項２７〜２９のいずれか一項に記載の医薬組成物。
【請求項３１】
プロテアーゼ、セリン２（ＰＲＳＳ２）の機能を阻害する第１の剤、および低密度リポタンパク質受容体関連タンパク質１（ＬＲＰ１）の結合ドメインＩに結合する第２の剤を含む、がんを処置するための医薬組成物。
【請求項３２】
第１の剤および第２の剤が同時に投与される、請求項３１に記載の医薬組成物。
【請求項３３】
第１の剤および第２の剤が連続的に投与される、請求項３１に記載の医薬組成物。
【手続補正書】
【提出日】令和3年3月15日(2021.3.15)
【手続補正１】
【補正対象書類名】特許請求の範囲
【補正対象項目名】全文
【補正方法】変更
【補正の内容】
【特許請求の範囲】
【請求項１】
第一スズが会合したホスホペプチド（ＰＰ）安定化非晶質リン酸カルシウム（ＡＣＰ）又は非晶質フッ化リン酸カルシウム（ＡＣＦＰ）複合体であって、１モルのＰＰ当たり１モル以上の第一スズであるが１モルのＰＰ当たり４モル未満の第一スズである第一スズイオン含有量を有する、複合体。
【請求項２】
前記第一スズイオン含有量が、１モルのＰＰ当たり約１モルの第一スズから、１モルのＰＰ当たり約３モルの第一スズの間である、請求項１に記載の複合体。
【請求項３】
前記第一スズイオン含有量が、１モルのＰＰ当たり約１モルの第一スズから、１モルのＰＰ当たり約２モルの第一スズの間である、請求項１に記載の複合体。
【請求項４】
前記第一スズイオン含有量が、１モルのＰＰ当たり約１モルの第一スズである、請求項１〜３のいずれか一項に記載の複合体。
【請求項５】
前記第一スズイオン含有量が、１モルのＰＰ当たり約２モルの第一スズである、請求項１〜３のいずれか一項に記載の複合体。
【請求項６】
前記第一スズイオン含有量が、１モルのＰＰ当たり約１．２モルの第一スズから、１モルのＰＰ当たり約１．８モルの第一スズの間である、請求項１〜３のいずれか一項に記載の複合体。
【請求項７】
前記第一スズイオン含有量が、１モルのＰＰ当たり約１．４モルの第一スズから、１モルのＰＰ当たり約１．８モルの第一スズの間である、請求項１〜３のいずれか一項に記載の複合体。
【請求項８】
前記第一スズイオン含有量が、１モルのＰＰ当たり約１．６モルの第一スズである、請求項１〜３のいずれか一項に記載の複合体。
【請求項９】
前記ホスホペプチドがカゼインホスホペプチドである、請求項１〜８のいずれか一項に記載の複合体。
【請求項１０】
請求項１〜９のいずれか一項に記載の複合体と、薬学的に許容される担体、希釈剤、又は賦形剤とを含む、組成物。
【請求項１１】
請求項１〜９のいずれか一項に記載の複合体を含む、口腔ケア組成物。
【請求項１２】
配合物が、練り歯磨き、歯磨き粉、及び液体歯磨きなどの歯磨き剤、マウスウォッシュ、マウスリンス、マウススプレー、バーニッシュ、歯科用セメント、トローチ、チューインガム、歯科用軟膏、歯肉マッサージクリーム、うがい用錠剤、乳製品、及びその他の食品から選択される、請求項１１に記載の口腔ケア組成物。
【請求項１３】
象牙質過敏症の治療又は予防をそれが必要な個体に対して行うために用いられる医薬の製造のための、請求項１〜７のいずれか一項に記載の複合体、又は請求項８〜１０のいずれか一項に記載の組成物の使用。
【請求項１４】
個体の露出した象牙細管を塞ぐために用いられる医薬の製造のための、請求項１〜９のいずれか一項に記載の複合体、又は請求項１０〜１２のいずれか一項に記載の組成物の使用。
【請求項１５】
個体の露出した象牙細管の上に層を形成するために用いられる医薬の製造のための、請求項１〜９のいずれか一項に記載の複合体、又は請求項１０〜１２のいずれか一項に記載の組成物の使用。
【請求項１６】
治療が必要な前記個体が象牙質過敏症である、請求項１３〜１５のいずれか一項に記載の使用。
【請求項１７】
前記象牙質過敏症が知覚過敏である、請求項１６に記載の使用。
【請求項１８】
前記象牙質過敏症が、前記個体の露出した象牙細管により引き起こされる、請求項１６に記載の使用。
【請求項１９】
前記象牙細管が、１．０、１．２、１．４、１．６、又は１．８μｍを超える直径の開口部を有する、請求項１８に記載の方法。
【請求項２０】
前記象牙細管が、２．０、２．２、２．４、又は２．５μｍを超える直径を有する開口部を有する、請求項１８に記載の方法。
【請求項２１】
象牙質知覚過敏の治療又は予防における使用のための、請求項１〜９のいずれか一項に記載の複合体、又は請求項１０〜１２のいずれか一項に記載の組成物。
【請求項２２】
前記複合体又は組成物が、治療を必要とする口腔部位に直接投与されるように用いられる、請求項１３〜２１のいずれか一項の使用、又は複合体。
【請求項２３】
治療を必要とする前記口腔部位が象牙質である、請求項２２に記載の方法、使用、又は複合体。
【請求項２４】
セメント質が失われることによって前記象牙質が露出している、請求項２３に記載の使用、又は複合体。
【請求項２５】
エナメル質が失われることによって前記象牙質が露出している、請求項２４に記載の使用、又は複合体。
【請求項２６】
歯の知覚過敏の治療又は予防のためのキットであって：
（ａ）請求項１０〜１２のいずれか一項に記載の組成物、及び／又は
（ｂ）請求項１〜９のいずれか一項に記載の複合体、
を含む、キット。
【請求項２７】
請求項１〜９のいずれか一項に記載の第一スズが会合したＰＰ安定化ＡＣＰを形成するための方法又はプロセスであって：
（ｉ）少なくとも１つのホスホペプチドを含む溶液を得るステップと；
（ｉｉ）ｐＨを約７．３以下に維持しながら、カルシウムイオン及びリン酸イオンを含む溶液を混合するステップと；
（ｉｉｉ）第一スズ化合物を混合するステップと
を含む；又は
（ｉ）ホスホペプチド安定化ＡＣＰの溶液を提供するステップと；
（ｉｉ）第一スズ化合物を混合するステップと
を含む、方法又はプロセス。
【請求項２８】
請求項１〜９のいずれか一項に記載の第一スズが会合したＰＰ安定化ＡＣＦＰを形成するための方法又はプロセスであって：
（ｉ）少なくとも１つのホスホペプチドを含む溶液を得るステップと；
（ｉｉ）ｐＨを約７．３以下に維持しながら、カルシウムイオン、リン酸イオン、及びフッ化物イオンを含む溶液を混合するステップと；
（ｉｉｉ）第一スズ化合物を混合するステップと
を含む；又は
（ｉ）ホスホペプチド安定化ＡＣＦＰの溶液を提供するステップと；
（ｉｉ）第一スズ化合物を混合するステップと
を含む、方法又はプロセス。
【請求項２９】
塩基又は酸を加えることを含まない、請求項２７又は２８に記載の方法又はプロセス。
【請求項３０】
カルシウムイオン、リン酸イオン、フッ化物イオン、又は第一スズ化合物を含む前記溶液に、別個に水酸化物イオンが加えられることがない、請求項２７又は２８に記載の方法又はプロセス。
【手続補正書】
【提出日】令和3年3月15日(2021.3.15)
【手続補正１】
【補正対象書類名】特許請求の範囲
【補正対象項目名】全文
【補正方法】変更
【補正の内容】
【特許請求の範囲】
【請求項１】
個体の口腔部位における病原性口腔細菌の減少；
個体の口腔部位における片利共生口腔細菌の増加；
個体の口腔部位における病原性口腔細菌の比率の低下
口腔のディスバイオシスの抑制；
歯肉の炎症の軽減のそれが必要な個体に対する実施；
歯肉炎の処置のそれが必要な個体に対する実施；又は
慢性歯肉炎の処置のそれが必要な個体に対する実施、
のための医薬品の調製における安定化非晶質リン酸カルシウム（ＡＣＰ）及び／又は安定化非晶質フッ化リン酸カルシウム（ＡＣＦＰ）複合体の使用。
【請求項２】
個体の口腔部位における病原性口腔細菌の減少；
個体の口腔部位における片利共生口腔細菌の増加；
個体の口腔部位における病原性口腔細菌の比率の低下
口腔のディスバイオシスの抑制；
歯肉の炎症の軽減のそれが必要な個体に対する実施；
歯肉炎の処置のそれが必要な個体に対する実施；又は
慢性歯肉炎の処置のそれが必要な個体に対する実施、
に使用するための、安定化非晶質リン酸カルシウム（ＡＣＰ）及び／又は安定化非晶質フッ化リン酸カルシウム（ＡＣＦＰ）複合体。
【請求項３】
前記病原性口腔細菌が、歯肉の炎症、歯肉炎、慢性歯肉炎、又は歯周病と関連するいずれか１つ以上、好ましくは酸産生性及び／又は耐酸性及び／又は炎症誘発性、より好ましく亜は炎症誘発性である、請求項１に記載の使用又は請求項２に記載の複合体。
【請求項４】
前記個体が軽度、中等度又は重度の歯肉の炎症を有する、請求項１に記載の使用又は請求項２に記載の複合体。
【請求項５】
前記個体が１、２、３又は４の改良歯肉炎指数スコアを有する、請求項１に記載の使用又は請求項２に記載の複合体。
【請求項６】
前記個体が検出可能な歯の表面又は表面下の病変を有さない、請求項１に記載の使用又は請求項２に記載の複合体。
【請求項７】
前記個体が、デブリードマン、スケーリング、ルートプラニング（ｒｏｏｔ  ｐｌａｎｎｉｎｇ）、及び歯肉縁下若しくは歯肉縁上の細菌を除去するためのあらゆる他の処置から選択される歯科処置を受けている、請求項１に記載の使用又は請求項２に記載の複合体。
【請求項８】
個体の歯のエナメル質の脱灰を減少させるために用いられる医薬の製造のための、安定化非晶質リン酸カルシウム（ＡＣＰ）及び／又は安定化非晶質フッ化リン酸カルシウム（ＡＣＦＰ）の使用。
【請求項９】
安定化ＡＣＰ複合体が、第一スズが会合したホスホペプチド（ＰＰ）で安定化された非晶質リン酸カルシウム（ＡＣＰ）複合体であり、安定化ＡＣＦＰ複合体が、第一スズが会合したホスホペプチド（ＰＰ）で安定化された非晶質フッ化リン酸カルシウム（ＡＣＦＰ）複合体である、請求項８に記載の使用。
【請求項１０】
前記脱灰の減少が、脱灰速度の減少である、請求項８又は９に記載の使用。
【請求項１１】
前記安定化非晶質リン酸カルシウム（ＡＣＰ）及び／又は非晶質フッ化リン酸カルシウム（ＡＣＦＰ）がホスホペプチド安定化される、請求項１〜１０のいずれか一項に記載の使用、又は複合体。
【請求項１２】
前記ホスホペプチドがカゼインホスホペプチドである、請求項１１に記載の使用、又は複合体。
【請求項１３】
前記安定化ＡＣＰ又はＡＣＦＰ複合体が、前記個体に５〜６０分間、１０〜４５分間、１０〜３０分間、又は２０分間投与される、請求項１〜１２のいずれか一項に記載の使用、又は複合体。
【請求項１４】
前記安定化ＡＣＰ又はＡＣＦＰ複合体が、１日当たり又は２４時間当たり４、５又は６回投与される、請求項１〜１３のいずれか一項に記載の使用、又は複合体。
【請求項１５】
前記安定化ＡＣＰ又はＡＣＦＰ複合体が１〜２週間の期間投与される、請求項１〜１４のいずれか一項に記載の使用、又は複合体。
【請求項１６】
前記複合体が、練り歯磨き、歯磨き粉、及び液体歯磨き剤、マウスウォッシュ、マウスリンス、マウススプレー、バーニッシュ、歯科用セメント、トローチ、チューインガム、歯科用軟膏、歯肉マッサージクリーム、うがい用錠剤、乳製品、並びにその他の食品のいずれか１つの中に配合される、請求項１〜１５のいずれか一項に記載の使用、又は複合体。
【請求項１７】
組成物がチューインガムである、請求項１６に記載の使用、又は複合体。
【請求項１８】
前記チューインガムが、少なくとも約１５ｍｇ、２０ｍｇ、２５ｍｇ、３０ｍｇ、３５ｍｇ、４０ｍｇ、４５ｍｇ、５０ｍｇ、５５ｍｇ、又は６０ｍｇの安定化ＡＣＰ又はＡＣＦＰ複合体を含む、請求項１７に記載の使用、又は複合体。
【請求項１９】
前記チューインガムが、約１８．８又は５６．４ｍｇの安定化ＡＣＰ又はＡＣＦＰ複合体を含む、請求項１８に記載の使用、又は複合体。
【手続補正書】
【提出日】令和3年2月25日(2021.2.25)
【手続補正１】
【補正対象書類名】特許請求の範囲
【補正対象項目名】全文
【補正方法】変更
【補正の内容】
【特許請求の範囲】
【請求項１】
皮膚悪性腫瘍の局所処置における使用のための組成物であって、該組成物内で懸濁されている複数のタキサンナノ粒子を含み、該タキサンナノ粒子が0.1ミクロン〜1.5ミクロンの平均粒径（個数基準）を有する、該組成物。
【請求項２】
タキサンナノ粒子がコーティングなし（ニート）の個々の粒子である、請求項1記載の組成物。
【請求項３】
タキサンナノ粒子がパクリタキセルナノ粒子、ドセタキセルナノ粒子、またはカバジタキセルナノ粒子である、請求項1記載の組成物。
【請求項４】
タキサンナノ粒子がパクリタキセルナノ粒子であり、パクリタキセルナノ粒子の濃度が前記組成物の0.1〜5重量％である、請求項1記載の組成物。
【請求項５】
パクリタキセルナノ粒子が少なくとも18m2/g、または18m2/g〜50m2/gの比表面積（SSA）を有する、請求項1記載の組成物。
【請求項６】
無水かつ疎水性であり、疎水性担体を含む、請求項1〜5のいずれか一項記載の組成物。
【請求項７】
疎水性担体が炭化水素を含み、該炭化水素がワセリン、鉱油、もしくはパラフィンワックス、またはそれらの混合物である、請求項6のいずれか一項記載の組成物。
【請求項８】
疎水性担体が前記組成物の50重量％を上回る、請求項6または7記載の組成物。
【請求項９】
疎水性組成物が1つまたは複数の揮発性シリコーン油を含む、請求項6または7記載の組成物。
【請求項１０】
1つまたは複数の揮発性シリコーン油の濃度が前記組成物の5〜24重量％である、請求項9記載の組成物。
【請求項１１】
揮発性シリコーン油がシクロメチコンまたはシクロペンタシロキサンである、請求項10記載の組成物。
【請求項１２】
半固体組成物であり、該半固体組成物が軟膏である、請求項1記載の組成物。
【請求項１３】
皮膚悪性腫瘍が皮膚癌である、請求項1記載の組成物。
【請求項１４】
皮膚癌が黒色腫、基底細胞癌、扁平上皮癌、またはカポジ肉腫である、請求項13記載の組成物。
【請求項１５】
皮膚悪性腫瘍が皮膚転移である、請求項1記載の組成物。
【請求項１６】
皮膚転移が、肺癌、乳癌、結腸癌、口腔癌、卵巣癌、腎臓癌、食道癌、胃癌、肝臓癌、および/またはカポジ肉腫に由来する、請求項15記載の組成物。
【請求項１７】
複数のナノ粒子からのタキサンが、対象の患部の真皮または表皮部分の中へ浸透する、請求項1記載の組成物。
【手続補正書】
【提出日】令和3年3月15日(2021.3.15)
【手続補正１】
【補正対象書類名】特許請求の範囲
【補正対象項目名】全文
【補正方法】変更
【補正の内容】
【特許請求の範囲】
【請求項１】
ＲＯＳ１関与癌を治療するための医薬組成物であって、
下式：
【化１】
2020514356.tif 000001
で表される、（６Ｒ，１５Ｒ）−９−フルオロ−１５−メチルー２，１１，１６，２０，２１，２４−ヘキサアザペンタシクロ[１６．５．２．０２，６.０７，１２.０２１，２５]ペンタコサ−１（２４），７，９，１１，１８（２５），１９，２２−ヘプタエン−１７−オン、又はその医薬的に許容可能な塩を含み、
前記癌が第１のＲＯＳ１阻害剤に対する耐性をもつようになり、かつ、前記癌が1つ以上のＲＯＳ１阻害剤耐性変異を有すると特定されたものである、医薬組成物
【請求項２】
第１のＲＯＳ１阻害剤が、アレクチニブ、ブリガチニブ、カボザンチニブ、セリチニブ、クリゾチニブ、エントレクチニブ、フォレチニブ、ロルラチニブ、およびメセスチニブからなる群から選択される、請求項１に記載の医薬組成物。
【請求項３】
第１のＲＯＳ１阻害剤がアレクチニブである、請求項１又は２に記載の医薬組成物。
【請求項４】
第１のＲＯＳ１阻害剤がブリガチニブである、請求項１又は２に記載の医薬組成物。
【請求項５】
第１のＲＯＳ１阻害剤がカボザンチニブである、請求項１又は２に記載の医薬組成物。
【請求項６】
第１のＲＯＳ１阻害剤がセリチニブである、請求項１又は２に記載の医薬組成物。
【請求項７】
第１のＲＯＳ１阻害剤がクリゾチニブである、請求項１又は２に記載の医薬組成物。
【請求項８】
第１のＲＯＳ１阻害剤がエントレクチニブである、請求項１又は２に記載の医薬組成物。
【請求項９】
第１のＲＯＳ１阻害剤がロルラチニブである、請求項１又は２に記載の医薬組成物。
【請求項１０】
第１のＲＯＳ１阻害剤がメセスチニブである、請求項１又は２に記載の医薬組成物。
【請求項１１】
１つ以上のＲＯＳ１阻害剤耐性変異が、以下のアミノ酸位置：１１８６、１９３５、１９４５、１９４６、１９４７、１９４８、１９５１、１９５８、１９５９、１９６１、１９６２、１９７１、１９７４、１９８１、１９８２、１９８６、１９９０、１９９３、１９９４、２０００、２００２、２００４、２００８、２００９、２０１０、２０１１、２０１６、２０１９、２０２０、２０２２、２０２６、２０２８、２０２９、２０３０、２０３２、２０３３、２０３５、２０３６、２０３９、２０４０、２０５２、２０５９、２０６０、２０７５、２０７７、２０７８、２０８７、２０９１、２０９２、２０９４、２０９８、２０９９、２１００、２１０１、２１０６、２１０７、２１１２、２１１３、２１１６、２１２５、２１２７、２１２８、２１３１、２１３４、２１３９、２１４１、２１４２、２１４８、２１５１、２１５４、２１５５、２１６０、２１６５、２１８１、２１８４、２２０１、２２０５、２２０７、２２０９、２２１２、及び２２２４のうちの１つ以上におけるアミノ酸置換である、請求項１〜１０のいずれかに記載の医薬組成物。
【請求項１２】
１つ以上のＲＯＳ１阻害剤耐性変異が、以下のアミノ酸置換：Ｓ１１８６Ｆ，Ｅ１９３５Ｇ、Ｌ１９４５Ｑ、Ｔ１９４６Ｓ、Ｌ１９４７Ｒ、Ｌ１９４７Ｍ、Ｒ１９４８Ｓ、Ｌ１９５１Ｒ、Ｌ１９５１Ｖ、Ｅ１９５８Ｖ、Ｖ１９５９Ｅ、Ｅ１９６１Ｋ、Ｇ１９６２Ｅ、Ｇ１９７１Ｅ、Ｅ１９７４Ｋ、Ｔ１９８１Ｍ、Ｌ１９８２Ｆ、Ｌ１９８２Ｒ、Ｓ１９８６Ｙ、Ｓ１９８６Ｆ、Ｅ１９９０Ｇ、Ｅ１９９０Ｌ、Ｅ１９９３Ｋ、Ｆ１９９４Ｌ、Ｌ２０００Ｖ、Ｓ２００２Ｎ、Ｆ２００４Ｌ、Ｆ２００４Ｉ、Ｆ２００４Ｖ、Ｆ２００４Ｃ、Ｎ２００８Ｈ、Ｉ２００９Ｌ、Ｌ２０１０Ｍ、Ｋ２０１１Ｎ、Ｃ２０１６Ｇ、Ｎ２０１９Ｄ、Ｎ２０１９Ｙ、Ｅ２０２０Ｋ、Ｑ２０２２Ｈ、Ｌ２０２６Ｍ、Ｌ２０２８Ｍ、Ｍ２０２９Ｋ、Ｅ２０３０Ｋ、Ｇ２０３２Ｒ、Ｄ２０３３Ｇ、Ｄ２０３３Ｎ、Ｌ２０３５Ｉ、Ｔ２０３６Ｉ、Ｔ２０３６Ｎ、Ｒ２０３９Ｇ、Ｒ２０３９Ｈ、Ｒ２０３９Ｍ、Ｒ２０３９Ｎ、Ｒ２０３９Ｓ、Ｋ２０４０Ｅ、Ｋ２０４０Ｑ、Ｔ２０５２Ｓ、Ｌ２０５９Ｐ、Ｃ２０６０Ｇ、Ｆ２０７５Ｃ、Ｆ２０７５Ｉ、Ｆ２０７５Ｖ、Ｈ２０７７Ｐ、Ｒ２０７８Ｗ、Ｖ２０８７Ｉ、Ｄ２０９１Ｎ、Ｙ２０９２Ｎ、Ｓ２０９４Ｎ、Ｖ２０９８Ｉ、Ｋ２０９９Ｎ、Ｉ２１００Ｖ、Ｇ２１０１Ａ、Ａ２１０６Ｐ、Ｒ２１０７Ｔ、Ｎ２１１２Ｋ、Ｄ２１１３Ｎ、Ｄ２１１３Ｇ、Ｒ２１１６Ｔ、Ｒ２１１６Ｋ、Ｖ２１２５Ｇ、Ｖ２１２５Ｌ、Ｗ２１２７Ｇ、Ｗ２１２７Ｇ、Ｍ２１２８Ｔ、Ｅ２１３１Ｄ、Ｅ２１３１Ｋ、Ｍ２１３４Ｉ、Ｔ２１３９Ｉ、Ｔ２１３９Ｓ、Ｑ２１４１Ｈ、Ｓ２１４２Ｙ、Ｇ２１４８Ｅ、Ｉ２１５１Ｎ、Ｉ２１５４Ｍ、Ｌ２１５５Ｓ、Ｑ２１６０Ｈ、Ｈ２１６５Ｄ、Ｅ２１８１Ｄ、Ｒ２１８４Ｔ、Ｅ２２０１Ｄ、Ｒ２２０５Ｉ、Ｔ２２０７Ｉ、Ｈ２２０９Ｐ、Ｑ２２１２Ｈ、Ｑ２２１２Ｐ、及びＮ２２２４Ｋのうちの１つ以上におけるアミノ酸置換である、請求項１〜１０のいずれかに記載の医薬組成物。
【請求項１３】
１つ以上のＲＯＳ１阻害剤耐性変異は、アミノ酸位置２０２６、２０３２、または２０３３のうちの１つ以上での置換である、請求項１〜１０のいずれかに記載の医薬組成物。
【請求項１４】
１つ以上のＲＯＳ１阻害剤耐性変異は、Ｌ２０２６Ｍ、Ｇ２０３２Ｒ、およびＤ２０３３Ｎから選ばれる１以上のアミノ酸置換を含む、請求項１〜１０のいずれかに記載の医薬組成物。
【請求項１５】
前記ＲＯＳ１関連癌が、肺癌、結腸直腸癌、胃癌、腺癌、小腸腺癌、胆管癌、膠芽腫、卵巣癌、血管癌腫、先天性多形性膠芽腫（ｇｌｉｏｂａｓｔｏｍａ）、甲状腺乳頭癌腫、炎症性筋線維芽細胞性腫瘍、スピッツ様新生物、未分化大細胞リンパ腫、びまん性大細胞型Ｂ細胞リンパ腫、およびＢ細胞急性リンパ芽球性白血病からなる群から選択される、請求項１〜１４のいずれかに記載の医薬組成物。
【手続補正書】
【提出日】令和3年3月11日(2021.3.11)
【手続補正１】
【補正対象書類名】特許請求の範囲
【補正対象項目名】全文
【補正方法】変更
【補正の内容】
【特許請求の範囲】
【請求項１】
リシルオキシダーゼ様２（ＬＯＸＬ２）のＮ末端に特異的に結合する抗体であって、前記抗体が、Ｎ末端アミノ酸配列Ｈ２Ｎ−ＱＹＤＳＷＰＨＹＰＥ（配列番号１）に特異的に結合する、抗体。
【請求項２】
前記抗体が、前記Ｎ末端アミノ酸配列のＮ拡張伸長バージョンを特異的に認識または結合しない、請求項１に記載の抗体。
【請求項３】
前記抗体が、モノクローナル抗体である、請求項１又は２に記載の抗体。
【請求項４】
試料中のＬＯＸＬ２を検出または定量化するためのイムノアッセイの方法であって、前記方法が、前記ＬＯＸＬ２を含む試料を請求項１〜３のいずれか一項に記載の抗体と接触させることと、前記抗体の結合の量を決定することと、を含み、前記試料が生物流体である、方法。
【請求項５】
前記生物流体が、血清、血漿、尿、または羊水である、請求項４に記載の方法。
【請求項６】
前記イムノアッセイが、競合イムノアッセイまたはサンドイッチイムノアッセイである、請求項４又は５に記載の方法。
【請求項７】
前記イムノアッセイが、ラジオイムノアッセイまたは酵素結合免疫吸着アッセイである、請求項４〜６のいずれか１項に記載の方法。
【請求項８】
前記方法が、前記方法によって決定されるＬＯＸＬ２の量を、既知の疾患重症度の標準ＬＯＸＬ２関連疾患試料と相関させて、前記ＬＯＸＬ２関連疾患の重症度を評価するステップをさらに含む、請求項４〜７のいずれか１項に記載の方法。
【請求項９】
前記ＬＯＸＬ２関連疾患が、線維症または癌である、請求項８に記載の方法。
【請求項１０】
前記ＬＯＸＬ２関連疾患が、特発性肺線維症（ＩＰＦ）、慢性閉塞性肺疾患（ＣＯＰＤ）、非小細胞肺癌（ＮＳＣＬＣ）、小細胞肺癌（ＳＣＬＣ）、結腸癌、黒色腫、卵巣癌、膵臓癌、前立腺癌、または乳癌である、請求項８または９に記載の方法。
【請求項１１】
抗ＬＯＸＬ２治療薬の有効性を評価するための方法であって、前記方法が、請求項４〜７のいずれかに記載の方法を使用して、少なくとも２つの試料中のＬＯＸＬ２の量を定量化することを含み、
前記試料が、生物流体であり、
前記試料が、対象から第１の時点および前記対象への前記抗ＬＯＸＬ２治療薬の投与期間中の少なくとも１つのその後の時点で得られており、前記第１の時点から前記抗ＬＯＸＬ２治療薬の前記投与期間中の前記少なくとも１つのその後の時点までの前記ＬＯＸＬ２の量の低減が、有効な抗ＬＯＸＬ２治療薬であることを示す、方法。
【請求項１２】
前記生物流体が、血清、血漿、尿、または羊水である、請求項１１に記載の方法。
【請求項１３】
前記抗ＬＯＸＬ２治療薬が、対象におけるＬＯＸＬ２を標的とし、その量を低減する、小分子ＬＯＸＬ２アンタゴニスト薬またはバイオシミラーである、請求項１１又は１２に記載の方法。
【請求項１４】
請求項４〜１４のいずれか一項に記載の方法における使用のためのキットであって、前記キットが、請求項１〜３のいずれかに記載の抗体と、
−ストレプトアビジン被覆９６ウェルプレート
−前記抗体と反応性であり、ビオチン化ペプチドＨ２Ｎ−ＱＹＤＳＷＰＨＹＰＥ−Ｌ−ビオチン（配列番号４）であり得、式中、Ｌが、任意のリンカーである、ペプチド
−サンドイッチイムノアッセイにおける使用のための任意にビオチン化された二次抗体
−Ｎ末端配列Ｈ２Ｎ−ＱＹＤＳＷＰＨＹＰＥ．．．（配列番号５）を含むキャリブレータペプチド
−抗体ＨＲＰ標識キット
−抗体放射性標識キット
−アッセイ可視化キットのうちの少なくとも１つと、を含む、キット。
【手続補正書】
【提出日】令和3年3月11日(2021.3.11)
【手続補正１】
【補正対象書類名】特許請求の範囲
【補正対象項目名】全文
【補正方法】変更
【補正の内容】
【特許請求の範囲】
【請求項１】
短アイソフォームＸＶＩＩＩ型コラーゲンと特異的に反応性である抗体であって、
前記抗体が、中アイソフォームＸＶＩＩＩ型コラーゲンと、または長アイソフォームＸＶＩＩＩ型コラーゲンとは反応せず、
前記抗体が、Ｎ末端アミノ酸配列Ｈ２Ｎ−ＥＰＥＲＩＳＥＥＶＧ．．．（配列番号１）に含まれる又はＮ末端アミノ酸配列Ｈ２Ｎ−ＥＰＥＲＩＳ．．．（配列番号２）を含む短アイソフォームＸＶＩＩＩ型コラーゲンのＮ末端エピトープと特異的に反応性であり、且つ、
前記抗体が、Ｈ２Ｎ−ＡＥＰＥＲＩＳＥＥＶＧ（配列番号３）である前記Ｎ末端アミノ酸配列のＮ拡張伸長バージョンを特異的に認識もしくは結合しない、かつ／またはＨ２Ｎ−ＰＥＲＩＳＥＥＶＧ（配列番号４）である前記Ｎ末端アミノ酸配列のＮ切断バージョンを特異的に認識もしくは結合しない、抗体。
【請求項２】
前記抗体が、モノクローナル抗体である、請求項１に記載の抗体。
【請求項３】
試料において短アイソフォームＸＶＩＩＩ型コラーゲンを検出または定量化するためのイムノアッセイの方法であって、前記方法が、前記短アイソフォームＸＶＩＩＩ型コラーゲンを含む試料を請求項１又は２に記載の抗体と接触させることと、前記抗体の結合の量を決定することと、を含む、方法。
【請求項４】
前記試料が、生物流体である、請求項３に記載の方法。
【請求項５】
前記生物流体が、血清、血漿、尿、脳脊髄液、または羊水である、請求項４に記載の方法。
【請求項６】
前記イムノアッセイが、競合アッセイまたはサンドイッチアッセイである、請求項３〜５のいずれか一項に記載の方法。
【請求項７】
前記イムノアッセイが、ラジオイムノアッセイまたは酵素結合免疫吸着アッセイである、請求項３〜６のいずれか一項に記載の方法。
【請求項８】
前記方法が、前記方法によって決定される前記短アイソフォームＸＶＩＩＩ型コラーゲンの量を、既知の疾患重症度の標準血友病性疾患試料と相関させて、血友病性疾患の重症度を評価することをさらに含む、請求項３〜７のいずれか一項に記載の方法。
【請求項９】
前記方法が、前記方法によって決定される前記短アイソフォームＸＶＩＩＩ型コラーゲンの量を、健康な対象と関連した標準値と比較して、血友病性疾患の存在および／または重症度を評価することをさらに含む、請求項３〜８のいずれか一項に記載の方法。
【請求項１０】
前記方法が、対象から第１の時点および少なくとも１つのその後の時点で得られる少なくとも２つの試料中のＸＶＩＩＩ型コラーゲンの量を定量化することをさらに含み、
前記第１の時点から前記少なくとも１つのその後の時点までのＸＶＩＩＩ型コラーゲンの量の増加が、前記第１の時点から前記少なくとも１つのその後の時点までの血友病性疾患の悪化を示し、
前記第１の時点から前記少なくとも１つのその後の時点までのＸＶＩＩＩ型コラーゲンの量の減少が、前記第１の時点から前記少なくとも１つのその後の時点までの血友病性疾患の改善を示す、請求項３〜７のいずれか一項に記載の方法。
【請求項１１】
前記血友病性疾患が、血友病性関節症であり得る、請求項８〜１０のいずれか１項に記載の方法。
【請求項１２】
血友病性疾患を治療するための薬物の有効性を評価するための方法であって、前記方法が、請求項３〜７のいずれか一項に記載の方法を使用して、対象から第１の時点、および前記対象への前記薬物の投与の期間中の少なくとも１つのその後の時点で得られる少なくとも２つの試料中のＸＶＩＩＩ型コラーゲンの量を定量化することを含み、
前記第１の時点から前記薬物の投与の期間中の前記少なくとも１つのその後の時点までのＸＶＩＩＩ型コラーゲンの量の低減が、血友病性疾患を治療するための有効な薬物であることを示す、方法。
【請求項１３】
短アイソフォームＸＶＩＩＩ型コラーゲンの量を決定するためのアッセイキットであって、前記キットが、請求項１又は２に記載の抗体と、
−ストレプトアビジン被覆９６ウェルプレート
−前記抗体と反応性であり、ビオチン化ペプチドＨ２Ｎ−ＥＰＥＲＩＳＥＥＶＧ−Ｌ−ビオチン（配列番号５）であり得、Ｌが、任意のリンカーである、ペプチド
−サンドイッチイムノアッセイにおける使用のための任意にビオチン化された二次抗体
−Ｎ末端配列Ｈ２Ｎ−ＥＰＥＲＩＳＥＥＶＧ・・・（配列番号６）を含むキャリブレータペプチド
−抗体ＨＲＰ標識キット
−抗体放射性標識キット
−アッセイ可視化キットのうちの少なくとも１つと、を含む、キット。
【手続補正書】
【提出日】令和3年2月26日(2021.2.26)
【手続補正１】
【補正対象書類名】特許請求の範囲
【補正対象項目名】全文
【補正方法】変更
【補正の内容】
【特許請求の範囲】
【請求項１】
中枢神経系（CNS）における正常な血流の途絶の影響を低減するための医薬の製造における、治療有効用量の外因性NeuroD1を含有する組成物の使用。
【請求項２】
組成物がNeuroD1をコードする核酸を含む発現ベクターを含有する、請求項1に記載の使用。
【請求項３】
発現ベクターがNeuroD1をコードする核酸を含む組換えウイルス発現ベクターである、請求項2に記載の使用。
【請求項４】
発現ベクターがNeuroD1をコードする核酸を含む組換えアデノ随伴ウイルス発現ベクターである、請求項2に記載の使用。
【請求項５】
組成物が、部位特異的リコンビナーゼをコードする核酸を含む組換えアデノ随伴ウイルス発現ベクターを含有する、請求項1に記載の使用。
【請求項６】
NeuroD1が、送達される唯一の外因的に発現される転写因子である、請求項1から5のいずれか一項に記載の使用。
【請求項７】
医薬が、反応性星状細胞が存在する場合、CNSにおける正常な血流が途絶された後にそれを必要とする個々の対象に一度に提供される、請求項1から6のいずれか一項に記載の使用。
【請求項８】
CNSにおける正常な血流の途絶が、虚血、血栓症、塞栓症、出血、脳震盪、ブラスト、脳侵入、腫瘍、炎症、感染症、及び血管の慢性疾患媒介による制限からなる群から選択される1以上の障害によるものである、請求項1から7のいずれか一項に記載の使用。
【請求項９】
CNSにおける正常な血流の途絶が、虚血性脳卒中;出血性脳卒中;脳動脈瘤;外傷性脳損傷;脳震盪;ブラスト;脳侵入;腫瘍;炎症;感染症;外傷性脊髄損傷;虚血性若しくは出血性の脊髄症(脊髄梗塞);心拍停止若しくは重度の低血圧(ショック)によって引き起こされる全脳虚血;低酸素、低血糖症若しくは貧血によって引き起こされる低酸素性虚血性脳症;感染性心内膜炎若しくは心房粘液腫によって引き起こされるCNS塞栓症;線維軟骨性塞栓性脊髄症;小児白血病によって引き起こされるCNS血栓症;及びネフローゼ症候群(腎臓病)、慢性炎症性疾患、妊娠、エストロゲン系避妊薬の使用、脳膜炎、脱水によって引き起こされる脳静脈洞血栓症からなる群から選択される1以上の障害によるものである、請求項1から7のいずれか一項に記載の使用。
【請求項１０】
核酸配列が、配列番号1〜4をコードする核酸配列及びこれらの機能的断片からなる群から選択される、請求項1から9のいずれか一項に記載の使用。
【請求項１１】
医薬が、それを必要とする個々の対象にグリア性瘢痕内又はその付近における定位注入を介して提供される、請求項1から10のいずれか一項に記載の使用。
【請求項１２】
NeuroD1タンパク質をコードする核酸配列がユビキタスプロモーターに作動可能に連結されている、請求項1から11のいずれか一項に記載の使用。
【請求項１３】
部位特異的リコンビナーゼをコードする核酸配列がグリア細胞特異的プロモーターに作動可能に連結されている、請求項5に記載の使用。
【請求項１４】
グリア細胞特異的プロモーターがGFAPプロモーターである、請求項13に記載の使用。
【請求項１５】
GFAPプロモーターがヒトGFAPプロモーターである、請求項14に記載の使用。
【請求項１６】
個々の対象が、血栓の除去、血流の促進、抗炎症剤の投与、酸化防止剤の投与、及び興奮毒性の低減からなる群から選択される1以上の治療を更に受けている、請求項7又は11に記載の使用。
【請求項１７】
1)部位特異的リコンビナーゼをコードする核酸に作動可能に連結されているグリア細胞特異的プロモーターを含む組換えアデノ随伴アデノウイルス発現ベクター、及び2)NeuroD1をコードする核酸に作動可能に連結されているユビキタスプロモーターを含む組換えアデノ随伴アデノウイルス発現ベクター、を含む組成物であって、NeuroD1をコードする核酸が反転され、2組の部位特異的リコンビナーゼ認識部位に挟まれており、それによって、リコンビナーゼの作用がNeuroD1をコードする核酸を不可逆的に反転してNeuroD1が哺乳動物細胞で発現される、組成物。
【請求項１８】
核酸配列が、配列番号2及び4からなる群から選択される配列に対して少なくとも80％、85％、90％、91％、92％、93％、94％、95％、96％、97％、98％、又は99％の配列同一性又は相補性を有する、請求項10に記載の使用。
【請求項１９】
医薬が、正常な血流が損なわれた領域に注入を介して個々の対象に提供される、請求項7に記載の使用。
【請求項２０】
組成物がNeuroD1をコードする核酸を含むアデノ随伴ウイルス粒子を含有し、注入が1010〜1014個の粒子/mlの濃度で0.1〜5μl/分の制御された流速で行われる、請求項19に記載の使用。
【請求項２１】
CNSにおける正常な血流の途絶が虚血性脳卒中によるものである、請求項9に記載の使用。
【手続補正書】
【提出日】令和2年12月25日(2020.12.25)
【手続補正１】
【補正対象書類名】特許請求の範囲
【補正対象項目名】全文
【補正方法】変更
【補正の内容】
【特許請求の範囲】
【請求項１】
表面を第１の液体組成物と接触させることと、
次いで、前記第１の液体組成物の少なくとも一部が前記表面に留まっている間に、第２の液体組成物が充填されたカチオン性コーティングを施した物品と前記表面を接触させることと、を含み、
前記第１の液体組成物又は前記第２の液体組成物のうちの一方又は両方が、その中に分散されたアクリレートコポリマー粒子を含み、前記アクリレートコポリマー粒子が、反応混合物の反応生成物を含み、前記反応混合物が、モノマーを含み、前記モノマーが、
約５重量％〜約５０重量％の少なくとも１つの高Ｔｇモノマーであって、前記高Ｔｇモノマーの重量％が、前記反応混合物中のモノマーの総重量に対するものである、高Ｔｇモノマーと、
約２０重量％〜約８０重量％の少なくとも１つの低Ｔｇモノマーであって、前記低Ｔｇモノマーの重量％が、前記反応混合物中のモノマーの総重量に対するものである、低Ｔｇモノマーとを含み、
前記粒子が、少なくとも約１００ｎｍの数平均直径を有し、
前記第１の組成物又は前記第２の組成物のうちの少なくとも１つ及び１つのみが、６０重量％以上の少なくとも１つのアルコールを含む、方法。
【請求項２】
前記表面を前記第１の組成物と接触させる工程が、前記表面への噴霧、分注、浸漬、注液、又はこれらのいくつかの組み合わせにより、前記組成物を前記表面に適用することを含む、請求項１に記載の方法。
【請求項３】
第２の組成物が充填された前記カチオン性コーティングを施した物品に前記表面を接触させる前に、前記第１の組成物と接触している前記表面を機械的作用に供することを更に含む、請求項１又は２に記載の方法。
【請求項４】
前記第１の組成物中に、前記第１の組成物の総重量に基づいて、約５重量％以下の前記アクリレートコポリマー粒子が存在する、請求項１〜３のいずれか一項に記載の方法。
【請求項５】
前記第２の組成物中に、前記第２の組成物の総重量に基づいて、約５重量％以下の前記アクリレートコポリマー粒子が存在する、請求項１〜４のいずれか一項に記載の方法。
【請求項６】
前記カチオン性コーティングを施した物品が、グアニジニル含有ポリマーを含む、請求項１〜５のいずれか一項に記載の方法。
【請求項７】
前記グアニジニル含有ポリマーが、（ａ）グアニル化剤と、（ｂ）カルボニル含有ポリマー前駆体又はアミノ含有ポリマー前駆体との反応生成物である、請求項６に記載の方
法。
【手続補正書】
【提出日】令和2年12月21日(2020.12.21)
【手続補正１】
【補正対象書類名】特許請求の範囲
【補正対象項目名】全文
【補正方法】変更
【補正の内容】
【特許請求の範囲】
【請求項１】
ラクチドとグリコリドの重合方法であって、有機溶媒、金属触媒及び場合により共開始剤の存在下、撹拌下で重合を実施する工程を含み、重合が、一旦密封されると、その内部と外部との間の空気又は他のガスの交換を可能にしない系で実施される、方法。
【請求項２】
金属触媒がスズ、亜鉛、アルミニウム触媒から選択される、請求項１に記載の方法。
【請求項３】
金属触媒が、スズ、亜鉛及びアルミニウムのハロゲン化物、アルコキシド及びカルボン酸塩から選択される、請求項２に記載の方法。
【請求項４】
金属触媒が、スズ及びアルミニウムアルコキシド並びにカルボン酸塩から選択される、請求項３に記載の方法。
【請求項５】
金属触媒がスズアルコキシド及びカルボン酸塩から選択される、請求項４に記載の方法。
【請求項６】
溶媒が、脂肪族及び芳香族炭化水素、ハロゲン化脂肪族及び芳香族炭化水素並びに脂肪族及び芳香族エーテルから選択される、請求項１から５の何れか一項に記載の方法。
【請求項７】
モノマーの合計質量に対する溶媒の割合が１グラム当たり少なくとも１ｍｌである、請求項１から６の何れか一項に記載の方法。
【請求項８】
得られたポリマーのＭｗが、ＧＰＣ法によって測定して少なくとも５×１０３Ｄａである、請求項１から７の何れか一項に記載の方法。
【請求項９】
共開始剤が、１〜２０個の炭素原子を有するモノ−、ジ−又はポリアルコールである、請求項１から８の何れか一項に記載の方法。
【請求項１０】
製造されたポリマーが直鎖状である、請求項１から９の何れか一項に記載の方法。
【請求項１１】
製造されたポリマーが分岐状である、請求項１から９の何れか一項に記載の方法。
【請求項１２】
活性な医薬成分を含む薬物送達システムを製造する方法であって、請求項１から１１の何れか一項に記載の方法でポリマーを製造する工程を含む、方法。
【手続補正書】
【提出日】令和2年12月24日(2020.12.24)
【手続補正１】
【補正対象書類名】特許請求の範囲
【補正対象項目名】全文
【補正方法】変更
【補正の内容】
【特許請求の範囲】
【請求項１】
硬化性のコーティング可能な組成物であって、
高屈折率を有する表面処理された無機ナノ粒子であって、前記表面処理された無機ナノ粒子はシラン表面処理剤を含む表面処理剤により処理されている、表面処理された無機ナノ粒子と、
硬化性反応混合物であって、前記硬化性反応混合物は、
屈折率が１．６以上の高屈折率（メタ）アクリレートモノマーを含む第１の（メタ）アクリレートモノマーと、
屈折率が１．６未満の低屈折率（メタ）アクリレートモノマーを含む第２の（メタ）アクリレートモノマーと、
少なくとも１種の開始剤と、
を含む、硬化性反応混合物と、
を含む、硬化性のコーティング可能な組成物。
【請求項２】
前記硬化性のコーティング可能な組成物を基材上にコーティング及び硬化させて、光学的に透明であり、少なくとも８８％の可視光透過率、５％以下のヘイズ、及び少なくとも１．７８の屈折率を有するコーティングを作製することができ、前記コーティングは１０ミリメートルのマンドレル可撓性試験を合格することができる、請求項１に記載の硬化性のコーティング可能な組成物。
【請求項３】
１．６以上の高屈折率である前記第１の（メタ）アクリレートモノマーは、式Ｉの化合物：
【化１】
2020514464.tif 000001
［式中、少なくとも１つのＲ１は芳香族置換基を含み、ｔは１〜４の整数であり、Ｒ２は水素又はメチルである。］
を含む、請求項１に記載の硬化性のコーティング可能な組成物。
【請求項４】
少なくとも１つのアルキレンオキシド連結基を有する前記（メタ）アクリレートモノマーが、式ＩＩの化合物：
Ｈ２Ｃ＝ＣＲ２−（ＣＯ）−Ｏ−（Ｌ−Ｏ）ｎ−Ａ−（Ｏ−Ｌ）ｎ−Ｏ−（ＣＯ）−Ｒ２Ｃ＝ＣＨ２  式ＩＩ
［式中、Ｒ２は水素又はメチルであり、
（ＣＯ）はカルボニル基Ｃ＝Ｏであり、
Ａは芳香族又は縮合芳香族基を含む二価の基であり、
基（Ｏ−Ｌ）ｎは、繰り返しの−Ｏ−Ｌ−単位を含むポリオキシアルキレン基を表し、
式中、Ｌは二価のアルキレン基であり、ｎは１０以上の整数である。］
を含む、請求項１に記載の硬化性のコーティング可能な組成物。
【請求項５】
第１の主表面と第２の主表面とを有する第１の基材と、
前記第１の基材の前記第２の主表面の少なくとも一部に隣接した硬化済み又は硬化性光学コーティング層であって、前記硬化済み又は硬化性光学コーティング層が、コーティングされ、かつ任意選択的に硬化された、硬化性のコーティング可能な組成物から作製され、前記硬化性のコーティング可能な組成物が、
高屈折率を有する表面処理された無機ナノ粒子であって、前記表面処理された無機ナノ粒子はシラン表面処理剤を含む表面処理剤により処理されている、表面処理された無機ナノ粒子と、
硬化性反応混合物であって、前記硬化性反応混合物は、
屈折率が１．６以上の高屈折率（メタ）アクリレートモノマーを含む第１の（メタ）アクリレートモノマーと、
屈折率が１．６未満の低屈折率（メタ）アクリレートモノマーを含む第２の（メタ）アクリレートモノマーと、
少なくとも１種の開始剤と、
を含む、硬化性反応混合物と、
を含む、硬化済み又は硬化性光学コーティング層と、
を含む、物品。
【請求項６】
多層光学物品を含むデバイスであって、前記デバイスが、デバイス表面であって、前記デバイス表面に多層光学物品が取り付けられたデバイス表面を含み、前記多層光学物品が、
前記デバイス表面と接触する接着剤層と、
前記接着剤層に接触している硬化済み光学コーティング層であって、前記硬化済み光学コーティング層が、コーティング済みかつ硬化済みの硬化性のコーティング可能な組成物から作製され、前記硬化性のコーティング可能な組成物が、
高屈折率を有する表面処理された無機ナノ粒子であって、前記表面処理された無機ナノ粒子はシラン表面処理剤を含む表面処理剤により処理されている、表面処理された無機ナノ粒子と、
硬化性反応混合物であって、前記硬化性反応混合物は、
屈折率が１．６以上の高屈折率（メタ）アクリレートモノマーを含む第１の（メタ）アクリレートモノマーと、
屈折率が１．６未満の低屈折率（メタ）アクリレートモノマーを含む第２の（メタ）アクリレートモノマーと、
少なくとも１種の開始剤と、
を含む、硬化性反応混合物と、を含み、
前記硬化済み光学コーティング層は光学的に透明であり、少なくとも８８％の可視光透過率、及び５％以下のヘイズを有し、少なくとも１．７８の屈折率を有し、１０ミリメートルのマンドレル可撓性試験を合格することができる、デバイス。